(57)【要約】【課題】  ＡＤＳＬの局内開通作業において、ジャンパ施工時の回線の極性を含め、リンク確立の確認が迅速にできること。【解決手段】  センタ局と各ユーザ端末とを既存の電話線路を用いて接続し、広帯域通信を行うＡＤＳＬ回路試験装置において、ケース１内に収納され所定部品が取り付けられた本体基板２と、前記ケース１の前面に蓋着され所定のスイッチおよび表示ランプが取り付けられた前面パネル３とからなり、前記本体基板１には、回線の極性を判定する極性判定回路１０と、着信を検出してベル音で知らせるリングディテクタ回路２０と、モデム発信機能を有するモデム発信回路３０と、前記回線の状態を音声で知らせる音声回路５０と、外部から侵入するノイズを低減するノイズリダクション回路６０及び前記各回路に電源を供給する電池を備えた電源回路７０とを備え、前記回線の状態を表示ランプまたは音声で知らせる構成とする。【選択図】      図１
2005269286.tif 000002
【特許請求の範囲】
【請求項１】
センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、
前記本体基板は、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、
前記回線の状態を表示ランプまたは音声で知らせることを特徴とするＡＤＳＬ回路試験装置。
【請求項２】
センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、
前記本体基板は、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、
前記極性判定回路は、２個のＬＥＤと押釦スイッチとから構成され、２個のＬＥＤは並列に、しかも互いに逆方向に接続され、押釦スイッチが２個のＬＥＤと直列に接続されていることを特徴とするＡＤＳＬ回路試験装置。
【請求項３】
センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルと、からなり、
前記本体基板は、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、
前記モデム発信回路は、下り信号の周波数帯域信号を発振する局部発振回路と、前記局部発振回路で発振した信号を中間周波数に変換する中間周波数トランスと、前記中間周波数トランスで変換した信号を増幅する中間周波数増幅器と、を備えていることを特徴とするＡＤＳＬ回路試験装置。
【請求項４】
センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルと、からなり、
前記本体基板は、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、
前記極性判定回路は、２個のＬＥＤと押釦スイッチとから構成され、２個のＬＥＤは並列に、しかも互いに逆方向に接続され、押釦スイッチが２個のＬＥＤと直列に接続され、
前記モデム発信回路は、下り信号の周波数帯域信号を発振する局部発振回路と、前記局部発振回路で発振した信号を中間周波数に変換する中間周波数トランスと、前記中間周波数トランスで変換した信号を増幅する中間周波数増幅器と、を備え、
前記電源回路は、直列に接続されたニッケル水素電池と、前記ニッケル水素電池で発生した電圧を昇圧するコンバータと、所定時間で電源をオフするタイマと、を備えていることを特徴とするＡＤＳＬ回路試験装置。
【請求項５】
センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルと、からなり、
前記本体基板は、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、
前記極性判定回路は、２個のＬＥＤと押釦スイッチとから構成され、２個のＬＥＤは並列に、しかも互いに逆方向に接続され、押釦スイッチが２個のＬＥＤと直列に接続され、前記モデム発信回路は、下り信号の周波数帯域信号を発振する局部発振回路と、前記局部発振回路で発振した信号を中間周波数に変換する中間周波数トランスと、前記中間周波数トランスで変換した信号を増幅する中間周波数増幅器と、を備え、
前記電源回路は、直列に接続されたニッケル水素電池と、前記ニッケル水素電池で発生した電圧を昇圧するコンバータと、所定時間で電源をオフするタイマと、を備え、
前記ケースは、外部からの誘導性雑音を遮断する金属製のシールドケースであることを特徴とするＡＤＳＬ回路試験装置。
【発明の詳細な説明】
【技術分野】
【０００１】
本発明は、センタ局と各ユーザ端末とを既存の電話線路を用いて接続し、広帯域通信を行うＡＤＳＬ（非対称デジタル加入者線）におけるＡＤＳＬ回路試験装置に関する。
【背景技術】
【０００２】
近年、ＡＤＳＬの爆発的な普及により、個人がＡＤＳＬに申込みをしてから開通に時間がかかるため、ＡＤＳＬ設備敷設工事の短縮が求められている。このＡＤＳＬ設備敷設工事は電話交換局内で行われるものでり、この要求に応えるものとして特開２００３−２９８７４０号公報に示すＡＤＳＬ局内設備があった。
【０００３】
このＡＤＳＬ局内設備は、ＡＤＳＬ通信に使用されるデータ信号を変調・復調する局側ＡＤＳＬモデムと、電話通信に使用される音声信号の回線を接続する電話交換機と、前記データ信号と前記音声信号を分離し、前記音声信号を前記電話交換機へ送信し、前記データ信号を前記局側ＡＤＳＬモデムへ送信する局内に設置される局側スプリッタと、局内設備が接続される局内接続用ボードと、局外設備が接続される局外接続用ボードと、を具備し、前記局側ＡＤＳＬモデムと前記局側スプリッタは接続され、前記局側スプリッタは前記電話交換機と第１ケーブルで直接接続され、さらに、前記局側スプリッタは前記局内接続用ボードと第２ケーブルで直接接続され、前記局内接続用ボードと前記局外接続用ボードの間は切換え可能に接続されたものである。
【特許文献１】特開２００３−２９８７４０号公報
【発明の開示】
【発明が解決しようとする課題】
【０００４】
しかしながら、上述した従来のＡＤＳＬ局内設備においては、ＡＤＳＬ開通時に確認作業を必要とするが、その場合にＭＤＦルーム内の配線変更後、その接続を確認するために専用のＡＤＳＬ用回路試験装置はなく、ユーザが使用するＡＤＳＬモデムを試験用ツールとして代用しているので、次のような問題が発生していた。  
（１）ＡＤＳＬモデムは、商用電源（家庭用１００Ｖ）を使用しているので、電源のコンセントより作業場所まで電源コードを引き回す必要があり、作業場所が高所などの場合は途中の障害物などに絡み易く、作業の安全性に問題があった。
（２）使用するＡＤＳＬモデムを取り付けて、リンク状態を確認するまで２分程度かかり、作業性が悪かった。
（３）リンク確立の確認はＡＤＳＬモデムのＬＥＤ点灯によって確認しているが、ＡＤＳＬモデムのＬＥＤは小さいものを使用しているので、判別しにくい。
（４）回線変更で接続されたジャンパは、接続されていることは判別できても、極性の誤りは判別できない。
【０００５】
本発明は、上述した従来の問題に鑑みなされたもので、ＡＤＳＬの局内開通作業において、商用電源を必要とせず、ジャンパ施工時の回線の極性を含め、リンク確立の確認が簡単で、迅速にできるＡＤＳＬ回線試験装置を提供するものである。
【課題を解決するための手段】
【０００６】
本発明は、上記課題を解決するため、センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、前記本体基板には、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、前記回線の状態を表示ランプまたは音声で知らせることを特徴とするものである。
【０００７】
また、本発明は、センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、前記本体基板には、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、前記極性判定回路は、２個のＬＥＤと押釦スイッチとから構成され、２個のＬＥＤは並列に、しかも互いに逆方向に接続され、押釦スイッチが２個のＬＥＤと直列に接続されたものである。
【０００８】
また、本発明は、センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、前記本体基板には、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路を備え、前記モデム発信回路は、下り信号の周波数帯域信号を発振する局部発振回路と、前記局部発振回路で発振した信号を中間周波数に変換する中間周波数トランスと、前記中間周波数トランスで変換した信号を増幅する中間周波数増幅器と、を備えたものである。
【０００９】
また、本発明は、センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、前記本体基板には、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、前記極性判定回路は、２個のＬＥＤと押釦スイッチとから構成され、２個のＬＥＤは並列に、しかも互いに逆方向に接続され、押釦スイッチが２個のＬＥＤと直列に接続され、前記モデム発信回路は、下り信号の周波数帯域信号を発振する局部発振回路と、前記局部発振回路で発振した信号を中間周波数に変換する中間周波数トランスと、前記中間周波数トランスで変換した信号を増幅する中間周波数増幅器を備え、前記電源回路は、直列に接続されたニッケル水素電池と、前記ニッケル水素電池で発生した電圧を昇圧するコンバータと、所定時間で電源をオフするタイマとを備えたものである。
【００１０】
さらに、本発明は、センタ局と各ユーザ端末とを既存の電話線路を用いて接続し、広帯域通信を行うＡＤＳＬにおけるＡＤＳＬ回路試験装置であって、ケース内に収納され所定部品が取り付けられた本体基板と、前記ケースの前面に蓋着され所定のスイッチおよび表示ランプが取り付けられた前面パネルとからなり、前記本体基板には、回線の極性を判定する極性判定回路と、着信を検出してベル音で知られるリングディテクタ回路と、モデム発信機能を有するモデム発信回路と、前記回線の状態を音声で知らせる音声回路と、外部から侵入するノイズを低減するノイズリダクション回路と、前記各回路に電源を供給する電池を備えた電源回路と、を備え、前記極性判定回路は、２個のＬＥＤと押釦スイッチとから構成され、２個のＬＥＤは並列に、しかも互いに逆方向に接続され、押釦スイッチが２個のＬＥＤと直列に接続され、前記モデム発信回路は、下り信号の周波数帯域信号を発振する局部発振回路と、前記局部発振回路で発振した信号を中間周波数に変換する中間周波数トランスと、前記中間周波数トランスで変換した信号を増幅する中間周波数増幅器と、を備え、前記電源回路は、直列に接続されたニッケル水素電池と、前記ニッケル水素電池で発生した電圧を昇圧するコンバータと、所定時間で電源をオフするタイマを備え、前記ケースは、外部からの誘導性雑音を遮断する金属製のシールドケースであることを特徴とするものである。
【発明の効果】
【００１１】
本発明によれば、以下の効果を奏するものである。
（１）開通前の極性と開通後の極性が確認できる。
（２）内蔵電池で正常に作動確認できるので、商業電源が不要となり、作業場所を選ばず安全に作業ができる。
（３）１.５,８,１２,２４Ｍｂ/ｓなどの各タイプのＡＤＳＬに必要な帯域周波数の１１０４ｋＨｚを検出することができる。
（４）ＡＤＳＬのリンクの確立をキャリア音とランプの点滅や点灯で確認できる。
（５）正常性の確認がＭＤＦのＨ側で確認することができる。
（６）タイマによる電源切り忘れ防止機構により、無駄な電池の消耗が防止できる。
（７）金属製のシールドケースにより、周囲からの誘導性雑音などの侵入を防止できる。
【発明を実施するための最良の形態】
【００１２】
本発明に係るＡＤＳＬ回路試験装置の最良の形態について図面を参照して説明する。
図１は本発明のＡＤＳＬ回路試験装置を示すブロック構成図、図２は図１のＡＤＳＬ回路試験装置の外観を示す斜視図、図３は図１のＡＤＳＬ回路試験装置の極性判定回路を示す回路図、図４は図１のＡＤＳＬ回路試験装置の電源回路を示す回路図、図５は本発明のＡＤＳＬ回路試験装置による試験の手順を示すフローチャートである。
【００１３】
本発明に係るＡＤＳＬ回路試験装置は、図１または図２に示すように、示すように、センタ局と各ユーザ端末とを既存の電話回線を用いて接続し、広帯域通信を行うＡＤＳＬ回線におけるＡＤＳＬ回路試験装置であって、ケース１内に収納され所定部品が取り付けられた本体基板２と、前記ケース１の前面に蓋着され所定のスイッチおよび表示ランプが取り付けられた前面パネル３とから構成されている。このＡＤＳＬ回路試験装置を使用する場合には、ＡＤＳＬ回路試験装置をアクセスコードでＭＤＦ（メイン・デストリビュート・フレーム）に接続し、後述する内蔵電池により作動させ、テスト状態や結果を表示ランプまたは音声で知らせるものである。
【００１４】
このＡＤＳＬ回路試験装置に使用されるケース１は、図２に示すように、外部ノイズからのシールド効果を高めるために鉄やアルミニウムなどの金属板から箱状に形成されたもので、内部に所定部品が取り付けられた本体基板２が収納されており、表面の前面パネル３には、各種の表示ランプや操作スイッチ、或いは各種コードの接続用のコネクタが取り付けられている。    
【００１５】
この前面パネル３に取り付けられたＬＩＮＥコネクタ１０１は、３．５φのフォノジャックを使用しており、測定回線のアクセスコードを接続するものである。このアクセスコードはＭＪ−６−４コードを使用し、中心の２芯線を回線用に使用し、両端の２芯線をシールドアースにして、ＡＭラジオ電波による電波障害の防止を図るものである。
【００１６】
また、テストモードスイッチ１０２は、交換回線の直流試験（ＤＣ／ＴＥＳＴ）とＡＤＳＬ回線（ＡＤＳＬ／ＴＥＳＴ）の交流試験を切り換えて行うようにしたものである。このテストモードスイッチ１０２がＤＣ／ＴＥＳＴモードに切り換えられた場合は、内蔵の電池を消費しないので、電源スイッチをオフの状態で使用する。
【００１７】
受信感度設定スイッチ１０３は、ＡＤＳＬ／ＴＥＳＴテストモードにおける下り信号１.１ＭＨｚ帯と上り信号３０ｋＨｚ帯の２つの周波数帯域の受信機感度設定用のスイッチで、３段階に設定できるようになっている。即ち、局内（ＭＤＦ〜１Ｋｍ）、中間（１〜３Ｋｍ）、端末（３〜７Ｋｍ）の３段階で、加入者回線損失分配基準（７ｄｂ／１．５ｋＨｚ）を基に設定したものである。
【００１８】
ＭＯＤＥＭスイッチ１０４は、モデム発信回路３０（図１）を接続するか、遮断するかの選択スイッチで、使用中の回線にアクセスする場合は必ずオフにして使用するものである。このＭＯＤＥＭスイッチ１０４をオンした状態で回線にアクセスした場合は、回線の障害となるものである。このＭＯＤＥＭスイッチ１０４をオン状態で使用できるのは、新規開通工事と明らかに断線障害となっている場合である。
【００１９】
電源スイッチ１０５は、このＡＤＳＬ回路試験装置のメインスイッチで、装置全体をオン・オフするものである。通常において、ＡＤＳＬ回路試験装置を動作させる場合は、この電源スイッチ１０５をオン状態にして使用するが、ＤＣ／ＴＥＳＴモードと内蔵のニッケル水素電池７１（図４）を充電する場合は、電源スイッチ１０５をオフ状態にする。また、この電源スイッチ１０５をオンしている場合は表示用の赤色のＬＥＤ１０５ａが点灯する。
【００２０】
ＤＩＡＬコネクタ１０６は、３．５φのフォノジャックを使用しており、後述する当該端子の確認を行う場合に携帯電話を接続するものである。外部電話器として携帯電話を使用する場合は、通常はアンテナで受信するが、局内作業の場合に携帯電話禁止の場所があるので、その場合は、携帯電話の電波が外部に漏れないように、アンテナケーブルを使用してＤＩＡＬコネクタ１０６に接続するものである。
【００２１】
回線極性ボタン１０７は、後述する極性判定回路１０（図３）の押ボタンスイッチ１３である。この回線極性ボタン１０７は、前記テストモードスイッチ１０２をＤＣ／ＴＥＳＴモード側にして押すと、赤色のＮＯＲＬＥＤ１１か緑色のＲＥＶＬＥＤ１２が点灯する。赤色のＮＯＲＬＥＤ１１（以下ＬＥＤ１１と略す）が点灯した場合は、極性が正常を示し、緑色のＲＥＶＬＥＤ１２（以下ＬＥＤ１２と略す）が点灯した場合は、極性が逆であることを示すものである。
【００２２】
下り信号及び上り信号の検出のための下り信号ＬＥＤ１０８と上り信号ＬＥＤ１０９はＡＤＳＬ回線の信号を検出するもので、局側に設置されたＭＯＤＥＭから加入者側のＭＯＤＥＭに送信される下り信号を検出すると下り信号ＬＥＤ１０８が赤色に点灯し、加入者側のＭＯＤＥＭから局側ＭＯＤＥＭに送信される上り信号を検出すると上り信号ＬＥＤ１０９が緑色に点灯するものである。また、本発明のＡＤＳＬ回路試験装置では、この下り信号ＬＥＤ１０８と上り信号ＬＥＤ１０９の点灯と共に下り信号と上り信号でそれぞれ異なる信号音を発生するようになっている。
【００２３】
ＡＤＳＬ信号スイッチは上部側スイッチ１１０と下部側スイッチ１１１とを備えており、上部側スイッチ１１０を押すと下り信号用受信機に切り替わり、対応する赤色ＬＥＤ１１０ａが点灯するようになっており、下部側スイッチ１１１を押すと上り信号用受信機に切り替わり、対応する緑色ＬＥＤ１１１ａが点灯するようになっている。
【００２４】
リンク確立ＬＥＤ１１２は、内蔵の仮想ＭＯＤＥＭであるモデム発信回路３０をオンにしてトレーニングを開始すると点滅を始めるもので、２０秒間以上経過すると連続点灯する。また、本発明のＡＤＳＬ回路試験装置では、このリンク確立ＬＥＤ１１２の点灯と共に音声回路５０により下り信号の連続したシャー音が聞こえ、リンク確立が確認できるようになっている。
【００２５】
テストスイッチは開始ボタン１１３と中止ボタン１１４とを備えている。このテストスイッチは内蔵のニッケル水素電池７１をセーブするためのものであり、そのため、開始ボタン１１３を押すと数分間だけ電源が入って装置が作動し、自動的に電源が切れるようになっている。また、電源が入っている間は作動表示ＬＥＤ１１５が点灯するようになっている。中止ボタン１１４は、測定を終了した場合や中断する場合に強制的に電源をオフにするものである。また、このＡＤＳＬ回路試験装置には、ＡＮＴコネクタ１１６が備えられており、外部アンテナに接続できるようになっている。
【００２６】
このＡＤＳＬ回路試験装置の本体基板２には、図１に示すように、線路の極性を判定する極性判定回路１０、リングディクタ回路２０、モデム発信回路３０、切り分け回路４０、音声回路５０、ノイズリダクション回路６０、および前記各回路に電源を供給する電池を備えた電源回路７０が備えられている。
【００２７】
このＡＤＳＬ回路試験装置の極性判定回路１０は、図３に示すように、２個のＬＥＤ（発光ダイオード）１１，１２と押釦スイッチ１３とから構成されている。２個のＬＥＤ１１，１２は並列に、しかも互いに逆方向に接続され、さらに、押釦スイッチ１３が２個のＬＥＤ１１，１２と直列に接続されたものである。そして、ＬＥＤ１１は赤色の発光ダイオードが使用され、ＬＥＤ１２は緑色の発光ダイオードが使用されている。
【００２８】
この極性判定回路１０は、極性判定テストを行う場合には、テストモード切換スイッチＳＷ１を図３のように直流試験モード側に切り換えておき、押釦スイッチ１３を押すと極性判定回路１０に電流が流れる。この電流は線路の極性が正常（＋）であれば、電流はＬＥＤ１１側に流れるので、ＬＥＤ１１が赤色に発光し、極性が正常が正常であることが判明する。一方、線路の極性が逆（＋）であれば、ＬＥＤ１２が緑色に発光するので、極性が逆であることが判明するものである。
【００２９】
リングディクタ回路２０は、公知の着信ベル回路などを使用するもので、電話器からの呼出音に連動して着信音が鳴動するものである。即ち、作業を行う線路が当該端子であるかを確認する場合に、通常は当該電話番号を電話器で呼び出し、その端子を短絡させると呼出音が停止することで、当該端子であることを確認している。しかしながら、この方法では、誤って他の端子を短絡させた場合（特に回線が使用中の場合）は、使用者に多大な迷惑をかけるものである。そのため、本発明のリングディクタ回路２０は、入力インピーダンスを２００Ｋオーム以上の高インピーダンスとし、回線の使用中に直接端子に接続しても影響を及ぼさないようにしたものである。
【００３０】
モデム発信機能回路３０は、仮想モデム発信機能を持つもので、そのために水晶発振器を備えた局部発振回路ＯＳＣ３１、中間周波数へ周波数を変換するトランスＩＦＴ３２、中間周波数へ変換された周波数を増幅する中間周波増幅器ＡＭＰ３３が備えられており、図示しない附属回路として、ＯＳＣ３１から発生する不要な高調波を低減するスプリアス低減回路やセラミックフィルタ、ＡＤＳＬ回線の下り信号を検出する下り信号検出回路や上り信号を検出する上り信号検出回路を備えるものである。局部発振回路ＯＳＣ３１は、リンクの確立に必要な下り信号の周波数帯域である１１０４ｋＨｚを安定して検出するために、基準周波数となる１１０４ｋＨｚ＋４５５ｋＨｚの信号を発生するものである。
【００３１】
切り分け回路４０は、  内蔵仮想モデムとの接続・断線により、局側からの下り信号、加入者側からの上り信号を峻別させ、ＡＤＳＬ回線の確認、回線が断線時の故障区間を特定と切替時に発生した誤作動の発見と修理に使用されるものである。この切り分け回路４０は、切り分けスイッチ４１で構成されており、断線障害が発生している場合に、モデム発信回路３０に接続し、信号音を検出することにより、番線の確認を行うものである。
【００３２】
音声回路５０は、ＩＦＴ３２、中間周波増幅器（ＩＦＡＭＰ）３３、復調回路５２、スピーカ５１から構成されている。ＩＦＴ３２はダブルスーパーヘテロダイン方式でより安定した周波数に変換するために、受信信号と局部発振周波数をミキシングして中間周波数（４５５ｋＨｚ）を発生させるもので、この中間周波数信号を中間周波増幅器３３で増幅し、復調回路５２で音声周波数に復調し、スピーカ５１より再生するものである。このように構成された音声回路５０により、ＡＤＳＬ切替え後のＡＤＳＬ回線の下り信号の確認を音声で行うことが可能となる。
【００３３】
ノイズリダクション回路６０は、公知のフィルタ回路から構成されている。このノイズリダクション回路６０は、ＡＤＳＬ回線の下りの周波数帯域である１１０４ｋＨｚに影響を及ぼす近隣の周波数がＡＭラジオの周波数帯域であり、これがＡＤＳＬ周波数の復調する時点で混入する恐れがあるので、１１０４ｋＨｚ付近の周波数をフィルタでカットするものである。  
【００３４】
電源回路７０は、図４に示すように、充電可能な二次電池であるニッケル水素電池７１を６個使用し、７．２Ｖを得ている。しかしながら、本発明のＡＤＳＬ回路試験装置を動作させるためには、１２Ｖを必要とするので、公知の昇圧用のＤＣ−ＤＣコンバータ７４を使用して７．２Ｖから１２Ｖに昇圧している。また、この電源回路７０は、図示しない公知の充電回路を備え、外部の充電器と接続してニッケル水素電池７１を充電できるようになっている。そのため図示しない公知のニッケル水素電池７１の電圧検出のコンパレータを備え、ニッケル水素電池７１の電圧が所定の充電電圧に達すると、自動的に充電器との接続を遮断する図示しない公知のオートパワーオフ回路を備えている。
【００３５】
さらに、この電源回路７０は、ニッケル水素電池７１の無駄な消耗を防止するため、テスト開始後所定時間（３分）経過すると自動的に電源が切れるようになっており、そのためのリレー７３とタイマ７５を備えている。この電源回路７０は、電源スイッチ７２が投入され、テスト開始ボタン１１３（図１）が押されるとスタートスイッチ７６がオンとなり、スイッチングトランジスタ７５に電流が流れ、スイッチングトランジスタ７７がオン状態となる。すると、電源スイッチ７２よりリレー７３を経由してタイマ７５にも電流が流れ、リレー７３がオンとなり、ＤＣ−ＤＣコンバータ７４を経由して測定装置に電流が流れ、装置が作動状態となる。また、タイマ７５にも電流が流れるので、タイマ７５も作動し時間のカウント開始する。そして、通電開始後、所定時間（３分）経過するとタイマ７５が作動し、タイマ７５回路の電流を遮断する。するとリレー７３のソレノド７３ｂ側にも電流が流れなくなるので、リレー接点７３ａがオフ状態となり、測定装置の電流を遮断してしまう。このように構成された電源回路７０により、測定終了後に電源スイッチ７２を切り忘れても、自動的に切断し、電池の無駄な消耗を防止するものである。
【００３６】
つぎに、上述のように構成されたＡＤＳＬ回路試験装置による作業手順を図５を参照して説明する。
（１）当該端子の確認
先ず、作業を行う回線のＭＤＦ端子４（図１）と、図２に示すＡＤＳＬ回路試験装置のＬＩＮＥ端子１０１を専用のコードで接続する。そして、電源スイッチ１０５をオフにし、テストモードスイッチ１０２をＤＣＴＥＳＴ側にセットする。すると、図３に示すように、テストモードスイッチ１０２は極性判定回路１０側に接続され、リングディテクタ回路２０にも接続される。
次いで、図示しない外部の電話器より工事を行う当該回線の電話番号を呼び出し、停止する。すると図１に示すリングディテクタ回路２０の図示しないベルが連動して鳴動し、停止する。これにより、当該端子であることが確認される。
【００３７】
（２）現回線の極性確認
上述した当該端子の確認作業の接続状態にて、図２に示すＡＤＳＬ回路試験装置の回線極性チェックボタン１０７を押す。すると、図３における極性判定回路１０のスイッチ１３がオンするので、極性判定回路１０に電流が流れ、ＬＥＤが点灯する。赤のＬＥＤ１１が点灯すれば回線の極性が正常であり、緑のＬＥＤ１１が点灯すれば回線の極性が逆であるか、障害が発生しているので、然るべき手段を講じるものである。
【００３８】
（３）ジャンパ施工
局内のＭＤＦにおいて従来の電話専用回線よりＡＤＳＬのサーバ側にジャンパ線で配線を追加接続する。即ち、ＭＤＦにおいて、従来の電話専用回線として１つ回線で交換機に接続されていたものを、電話回線とデータ回線とに分けてスプリッタに接続するために、ジャンパ線で配線を追加接続するものである。
【００３９】
（４）ジャンパ施工後の当該端子の確認
前述した当該端子の確認作業と同様に、図２に示すＡＤＳＬ回路試験装置のテストモードスイッチ１０２をＤＣテスト側に設定し、外部の電話器より電話番号を呼び出し、図１に示すリングディテクタ回路２０のベルの鳴動により工事前、工事後の当該端子の確認ができる。
（５）ジャンパ施工後の極性確認
前述した現回線の極性確認作業と同様に、図２に示すテストモードスイッチ１０２をＤＣテスト側に設定し、回線極性チェックボタン１０７を押し、切り換え前のＬＥＤと同じＬＥＤの点灯を確認する。ことによりジャンパ線の配線が正常であることが確認できる。
【００４０】
（６）ＡＤＳＬ信号の検出
図２に示すＡＤＳＬ回路試験装置のテストモードスイッチ１０２をＤＣテスト側からＡＤＳＬに設定し、ＭＯＤＥＭスイッチ１０４をオンし、電源スイッチ１０５をオンとし、テスト開始スイッチ１１３を押した後、ＡＤＳＬ信号の上部側スイッチ１１０を押す。すると、ＡＤＳＬ下り信号のＬＥＤ１０８が点滅し、内蔵のスピーカ（図１におけるスピーカ５１）より断続キャリア音が発生され、リンク確立ＬＥＤ１１２が点滅する。また、ＡＤＳＬの故障で下部断線が予想される場合は、切り分け回路４０で切り分けを行い、局内のＭＤＦより切り分け点までのリンクアップの正常を確認するものである。
【００４１】
（７）リンク確立の確認
図２に示すＡＤＳＬ回路試験装置において、リンク確立ＬＥＤ１１２が点滅から２０秒以上経過すると点灯に変わり、内蔵のスピーカ（図１におけるスピーカ５１）より断続キャリア音が連続音に変わりリンク確立を確認することができる。このように、本発明のＡＤＳＬ回路試験装置においては、ＬＥＤ１１２の点灯を目で確認することができると共に、耳で連続音した確認音を確認することにより、確実に試験結果を確認できるものである。また、ＭＯＤＥＭスイッチ１０４をオフにして、正常に動作中の下り信号をモニターし、芯線切替えによるバーストエラーや再トレーニングと再リンクアップを信号音の変化とＬＥＤの点灯で確認し、切替えが正常に終了したことを確認できるものである。そして、ＡＤＳＬの故障で、上部断線が予想される場合に切り分け回路４０で切り分けを行い、下部（ＭＯＤＥＭ）からの上り信号音を検出し、ＬＥＤの点灯で下部側が正常であることを確認するものである。さらに、切替点で誤接続が発覚し、下部番線が不明になった場合には、ＡＤＳＬ上り信号（３０ｋＨｚのパイロット信号）を検出し、番線の拾い出しができるものである。
【００４２】
上述のように、本発明のＡＤＳＬ回路試験装置は、極性判定回路１０、リングディクタ回路２０、モデム発信回路３０、切り分け回路４０、音声回路５０、ノイズリダクション回路６０、および電源回路７０が備えられたことにより、開通前の極性と開通後の極性及び当該端子であることが確認できると共に回線故障時の切り分けができるため故障区間の特定ができる。また、商業電源が不要となり、作業場所を選ばず安全に作業ができるようになるものである。また、ＡＤＳＬに必要な帯域周波数の１１０４ｋＨｚを検出することができるので、ＡＤＳＬのリンクの確立をキャリア音とランプの点滅や点灯で確認できるものである。さらに、タイマによる電源切り忘れ防止機構により、無駄な電池の消耗が防止できるものである。
【図面の簡単な説明】
【００４３】
【図１】本発明のＡＤＳＬ回路試験装置を示すブロック構成図である。
【図２】図１のＡＤＳＬ回路試験装置の外観を示す斜視図ある。
【図３】図１のＡＤＳＬ回路試験装置の極性判定回路を示す回路図である。
【図４】図１のＡＤＳＬ回路試験装置の電源回路を示す回路図である。
【図５】本発明のＡＤＳＬ回路試験装置による試験の手順を示すフローチャートである。
【符号の説明】
【００４４】
１      ケース
２      本体基板
３      前面パネル
４      ＭＤＦ端子
５      アクセスコード
１０      極性判定回路
１１      ＬＥＤ
１２      ＬＥＤ
１３      押しボタンスイッチ
２０      リングディテクタ回路
３０      モデム発信回路
３１      局部発振回路（ＯＳＣ）
３２      中間周波数変換トランス（ＩＦＴ）
３３      中間周波増幅器（ＡＭＰ）
４０      切り分け回路
５０      音声回路
５１      スピーカ
５２      復調回路
６０      ノイズリダクション回路
７０      電源回路
７１      電池
７２      電源スイッチ
７３      リレー
７４      コンバータ
７５      タイマ
７６      スタートスイッチ
７７      スイッチングトランジスタ
１０１      ＬＩＮＥコネクタ
１０２      テストモードスイッチ
１０３      受信感度スイッチ
１０４      ＭＯＤＥＭスイッチ
１０５      電源スイッチ
１０６      ＤＩＡＬコネクタ
１０７      回線極性ボタン
１０８      下り信号ＬＥＤ
１０９      上り信号ＬＥＤ
１１０      上部側スイッチ
１１１      下部側スイッチ
１１２      リンク確立ＬＥＤ
１１３      開始ボタン
１１４      中止ボタン
１１５      作動表示ＬＥＤ
１１６      ＡＮＴコネクタ
【図１】
2005269286.tif 000003
【図２】
2005269286.tif 000004
【図３】
2005269286.tif 000005
【図４】
2005269286.tif 000006
【図５】
2005269286.tif 000007